Podtech/llm-jp-corpus-v4-ja_patent huggingface dataset:
【手続補正書】
【提出日】平成16年7月28日(2004.7.28)
【手続補正１】
【補正対象書類名】明細書
【補正対象項目名】請求項１２
【補正方法】変更
【補正の内容】
【請求項１２】車両のブレーキ装置を制御するための装置であって、パイロット圧・検知装置と、パイロット圧・変化率・検知装置と、検知されたパイロット圧を第１閾値Ｓ１と比較するための第１比較装置と、検知されたパイロット圧・変化率を第２閾値Ｓ２と比較するための第２比較装置とを有する装置において、
検知されたパイロット圧・変化率を第３閾値ＳＢと比較するための第３比較装置が設けられていること、及び、第１閾値を超過する場合でパイロット圧・変化率が第３閾値ＳＢよりも大きいが第２閾値よりも小さい場合にブレーキサポートのスタンバイ段階を開始させる制御ユニットが設けられていることを特徴とする装置。
【手続補正書】
【提出日】平成14年11月11日(2002.11.11)
【手続補正１】
【補正対象書類名】明細書
【補正対象項目名】特許請求の範囲
【補正方法】変更
【補正の内容】
【特許請求の範囲】
【請求項１】
ヒドロキシプロピル−β−シクロデキストリン（ＨＰＣＤ）、ナイアシンアミド、およびメトロニダゾールを含有する水溶液。
【請求項２】
溶液中のメトロニダゾール濃度が０．７５％より高い請求項１記載の水溶液。
【請求項３】
メトロニダゾールの濃度が約１％またはそれより高い、請求項２記載の水溶液。
【請求項４】
前記水溶液中に存在するＨＰＣＤおよびナイアシンアミドの各濃度が、他方の不存在下で、前記水溶液中に存在するメトロニダゾールの濃度を得るのに充分な濃度より低い濃度である、請求項１記載の水溶液。
【請求項５】
メトロニダゾールの濃度が約１％であり、ＨＰＣＤの濃度が約１％であり、かつナイアシンアミドの濃度が約０．５〜１％である、請求項１記載の水溶液。
【請求項６】
メトロニダゾールの濃度が約１．５％であり、ＨＰＣＤの濃度が約５％であり、かつナイアシンアミドの濃度が約６％である、請求項１記載の水溶液。
【請求項７】
ＨＰＣＤおよびナイアシンアミド以外のメトロニダゾール溶解度増強剤を実質的に含有しない、請求項１記載の水溶液。
【請求項８】
有機溶媒を実質的に含有しない、請求項１記載の水溶液。
【請求項９】
ゲル化剤をさらに含有する、請求項１記載の水溶液。
【請求項１０】
水中で、ヒドロキシプロピル−β−シクロデキストリン（ＨＰＣＤ）、ナイアシンアミド、およびメトロニダゾールを混合することを含んで構成されるメトロニダゾールの水溶液を調製する方法。
【請求項１１】
水にＨＰＣＤおよびナイアシンアミドを溶解した後、水にメトロニダゾールを添加する、請求項１０記載の方法。
【請求項１２】
水中で、ＨＰＣＤ、ナイアシンアミド、およびメトロニダゾールを混合した後、ゲル化剤を添加することをさらに含んで構成される請求項１０記載の方法。
【請求項１３】
水中に混合されるＨＰＣＤおよびナイアシンアミドの各量は、他方の不存在下で、ＨＰＣＤおよびナイアシンアミドの両方を含有する水中にメトロニダゾールを混合した際に得られるメトロニダゾール濃度を得るのに充分な量より低い、請求項１０記載の方法。
【請求項１４】
請求項１０記載の方法により製造される水溶液。
【請求項１５】
請求項１１記載の方法により製造される水溶液。
【請求項１６】
請求項１２記載の方法により製造される水溶液。
【請求項１７】
０．７５ｗ／ｗ％より高い濃度を有するメトロニダゾールの水溶液の有効的な量を疾患部位に局所的に塗布すること、およびメトロニダゾールで疾患を治療すること、を含んで構成される皮膚または粘膜疾患の治療法であって、前記溶液がヒドロキシプロピル−β−シクロデキストリンおよびナイアシンアミドをさらに含む方法。
【請求項１８】
１日１回塗布する、請求項１７記載の方法。
【請求項１９】
メトロニダゾールの濃度が約１％またはそれより高い、請求項１７記載の方法。
【請求項２０】
前記疾患がしゅさ性アクネである、請求項１７記載の方法。
【請求項２１】
容器およびその容器内のメトロニダゾール水溶液を含んで構成される皮膚または粘膜疾患の局所的治療用キットであって、前記溶液がヒドロキシプロピル−β−シクロデキストリン（ＨＰＣＤ）およびナイアシンアミドをさらに含む、キット。
【請求項２２】
溶液中のメトロニダゾールの濃度が０．７５％またはそれより高い、請求項２１記載のキット。
【請求項２３】
溶液中のメトロニダゾールの濃度が約１％またはそれより高い、請求項２２記載のキット。
【請求項２４】
メトロニダゾールの濃度が約１％であり、ＨＰＣＤの濃度が約１％であり、かつナイアシンアミドの濃度が約０．５〜１％である、請求項２３記載のキット。
【請求項２５】
メトロニダゾールの濃度が約１．５％であり、ＨＰＣＤの濃度が約５％であり、かつナイアシンアミドの濃度が約６％である、請求項２３記載のキット。
【請求項２６】
１日に１回患部に溶液を塗布するための指示書をさらに含有する、請求項２３記載のキット。
【請求項２７】
ＨＰＣＤの濃度が、ナイアシンアミドの濃度に等しいかまたはそれより高い、請求項１記載の水溶液。
【請求項２８】
ＨＰＣＤの濃度が、ナイアシンアミドの濃度に等しいかまたは１．５倍より高い、請求項２７記載の水溶液。
【手続補正書】
【提出日】平成15年7月3日(2003.7.3)
【手続補正１】
【補正対象書類名】明細書
【補正対象項目名】請求項１
【補正方法】変更
【補正の内容】
【請求項１】
基礎要素（８）と、前記基礎要素の上に配置されたコンテナ構造とを有し、前記コンテナ構造は、複数の側壁（２、３、４、６）と、天井壁（７）と、一つ、二つ又はそれ以上の荷役用開口（５）とを有する、航空輸送用の貨物輸送コンテナ（１）であって、前記複数の側壁と前記天井壁とは、複数の表面部品から作られ、特に、シート状の複数の金属要素で構成された、複数の壁面ライニング（２１、２２、２３、２４）を有し、ある角度で互いに隣接する二つの壁面が縦縁を形成し、前記荷役用開口（５）は、複数の端部縦縁によって、隣接する複数の壁面の方向に画成され、前記コンテナ構造の一つ又はそれ以上の縦縁と端部縦縁のいずれか一方又は双方は補強構造体（２５ａ）を有する、航空輸送用の貨物輸送コンテナにおいて、前記補強構造体は、金属製で、一回又はそれ以上の回数にわたって成形された、一つ又はそれ以上の表面部品（２０ａ、２７ａ）によって構成され、前記表面部品は複数の連結領域によって連結されて、連結要素（５２）によって一つの補強構造体を形成し、前記補強構造体（２５ａ）は、前記縦縁方向に延在する、少なくとも一つの、閉鎖された、溝状の空隙を有し、かつ、複数の連結領域によって前記壁面ライニング（２１、２２）に連結され、前記補強構造体（２５ａ）は、慣性モーメント又は抵抗を増加させ、かつ、曲げ応力及び捻り応力を受けたときの弾性変形及び塑性変形に対して剛性の高い補強を行う、中空形材の形態の構造を有することを特徴とする、航空輸送用の貨物輸送コンテナ。
【手続補正２】
【補正対象書類名】明細書
【補正対象項目名】請求項１９
【補正方法】変更
【補正の内容】
【請求項１９】
基礎要素（８）と、前記基礎要素（８）の上に配置されたコンテナ構造とを有し、前記コンテナ構造は、複数の側壁（２、３、４、６）と、天井壁（７）と、一つ、二つ又はそれ以上の荷役用開口（５）とを有し、前記複数の側壁と天井壁は、複数の表面部品から作られ、特に、シート状の複数の金属要素で構成された、複数の壁面ライニング（２１、２２、２３、２４）を有し、ある角度で互いに隣接する二つの個々の壁面が縦縁を形成し、前記荷役用開口（５）は、複数の端部縦縁によって、隣接する複数の壁面の方向に画成され、前記コンテナ構造の一つ又はそれ以上の縦縁と端部縦縁のいずれか一方又は双方は補強構造体（２５）を有する、請求項１に記載した航空輸送用の貨物輸送コンテナ（１）を製造する方法において、前記補強構造体は、金属製で、一回又はそれ以上の回数にわたって成形された、一つ又はそれ以上の表面部品（２０、２７）によって構成され、前記補強構造体の前記複数の壁面ライニング（２１、２２、２３、２４）と前記複数の表面部品は、複数のロール・シートからシート状の複数の金属パネルの寸法に切断され、ベンディング・マシンによって所望の構造に曲成され、壁面ライニングとして予め成形されたシート状の複数の金属パネルと前記補強構造体の複数の表面部品とは、複数の連結要素（５２）によって連結されて、中空の形材の形態を有する複数の補強構造体（２５）を備えた一つのコンテナ構造を形成することを特徴とする、航空輸送用の貨物輸送コンテナを製造する方法。
【手続補正３】
【補正対象書類名】明細書
【補正対象項目名】０００１
【補正方法】変更
【補正の内容】
【０００１】
【発明の属する技術分野】
本発明は、航空輸送用の貨物輸送コンテナに関する。本発明の航空輸送用の貨物輸送コンテナの製造方法は、本発明の範囲に属する。


【手続補正４】
【補正対象書類名】明細書
【補正対象項目名】０００５
【補正方法】変更
【補正の内容】
【０００５】
前述の型式の航空貨物コンテナの最近のタイプは、例えば、特許文献１に開示されている。ここに開示された航空貨物コンテナは、平坦な表面で縁取られた躯体をなす。この航空貨物コンテナは、基板と、基板の上に配置された支持フレームとからなり、この支持フレームは、複数の垂直側面形材と複数の水平頂部形材とを有し、一つの面上において、基板に向かう複数の側面形材はコンテナの内部方向に傾斜して、斜めの下方壁面の境界をなす。このような一般的に知られた実施形態において航空貨物コンテナに形成された容器バルコニーが参照される。これらの形材は、押出し成形された閉鎖構造の形材である。これらの形材には、又、ウェブが形成され、複数の壁面に対するシート状の金属充填材がリベッティングによって装着されている。
特許文献２には、また、航空貨物コンテナの内部で引き起こされた爆発の爆発エネルギーを吸収することができる、複数の膨張可能な領域を備えた航空輸送用の航空貨物コンテナが開示されている。これらの膨張可能な構造体は、複数の壁領域内に配置された複数の波形の層や複数のハーモニカ形状の層に関係し、これらの層は爆発の圧力を受けて伸張するように構成されている。このような膨張可能な構造体は、角度を付けられた、平坦なコーナー要素によって、複数の隅角部の領域で互いに連結されている。
特許文献３に記載された航空輸送用の航空貨物コンテナは、また、爆発エネルギーを吸収するために設計されている。この航空貨物コンテナの複数の壁領域は、また、波形の、膨張可能な、複数の補強層を有する。これらの壁要素は、繊維強化プラスチック材料で作られた複数のコーナー連結部材によって、複数の隅角部において互いに連結されている。


【手続補正５】
【補正対象書類名】明細書
【補正対象項目名】０００６
【補正方法】変更
【補正の内容】
【０００６】
【特許文献１】
ＥＰ  ０  ３１３  ６０１
【特許文献２】
ＵＳ  ５，６４５，１８４
【特許文献３】
ＵＳ  ６，１１２，９３３１


【手続補正６】
【補正対象書類名】明細書
【補正対象項目名】００１０
【補正方法】変更
【補正の内容】
【００１０】
本発明によれば、この目的は、請求項１に記載された特徴を備えた航空輸送用の航空貨物コンテナによって達成される。
【手続補正書】
【提出日】平成16年12月3日(2004.12.3)
【手続補正１】
【補正対象書類名】明細書
【補正対象項目名】請求項１
【補正方法】変更
【補正の内容】
【請求項１】  開放部（５）を有する容器（４）、前記開放部（５）を上部で開閉するための蓋（６）、および一群のタバコ製品を封入した内包装紙（１９）を有する包装体（３）を含み、複数の側面（１６，１７，１８）、上端面（１５）および下端面（１１）を有するタバコ製品用硬質パックにおいて、
前記包装体（３）の少なくとも一つの面（１１，１５，１６，１７，１８）はその面（１１，１５，１６，１７，１８）上に生じる少なくとも一つの折れ線（２１）により形成されかつ外方に膨出した変形を有することを特徴とする硬質パック。
【手続補正２】
【補正対象書類名】明細書
【補正対象項目名】０００４
【補正方法】変更
【補正の内容】
【０００４】
更に、蝶番止めされた蓋は最初に一旦開封されかつそのエッジ、即ち、縁部（edges)を失敗することなく容器の開放エッジにより提供される対応エッジに整列かつ接触する位置から外すと、蓋を再度閉鎖するときに元の位置へ戻すことが困難であり、かつ容器のエッジと蓋のエッジが相互から僅かに距離を置く状態になる。
【手続補正３】
【補正対象書類名】明細書
【補正対象項目名】００１６
【補正方法】変更
【補正の内容】
【００１６】
図３の例において、外包装体３の前面１６および背面１７は各々四つの折れ線２１を有し、その二つの折れ線は図１および２に示されたように配置され、かつ他の二つの折れ線はパケット２の横軸２７に対して対称的に配置される。特に、横軸２７に対して対称的に配置された折れ線２１は弓状輪郭線を有していて対応する前面１６および背面１７の二つの対峙する長手エッジ間、即ち、前面１６および背面１７をフランク面１８に結合するエッジ間に延在する。この例において、四つの側部２６があり、かつ中央部２５は四つの折れ線２１により全体が囲まれている。
【手続補正書】
【提出日】平成15年12月11日(2003.12.11)
【手続補正１】
【補正対象書類名】明細書
【補正対象項目名】特許請求の範囲
【補正方法】変更
【補正の内容】
【特許請求の範囲】
【請求項１】
体重減少、体重増加の減少または体重損失の増加に治療上有効な量のＰＹＹまたはＰＹＹアゴニストを含む、体重減少、体重増加の減少または体重損失の増加用の末梢投与医薬組成物。
【請求項２】
栄養利用能低下に治療上有効な量のＰＹＹまたはＰＹＹアゴニストを含む、栄養利用能低下用の末梢投与医薬組成物。
【請求項３】
カロリー効率の低下に有効な量のＰＹＹまたはＰＹＹアゴニストを含む、栄養利用能低下、体重減少、体重増加の減少または体重損失の増加用の末梢投与医薬組成物。
【請求項４】
食物摂取を低下させるか、あるいは非−高脂肪食物摂取または高脂肪食物もしくは低脂肪食物に対する食欲を低下させるのに有効な量のＰＹＹまたはＰＹＹアゴニストを含む、栄養利用能低下、体重減少、体重増加の減少または体重損失の増加用の非経口投与する請求項１または２記載の医薬組成物。
【請求項５】
体重減少、体重増加の減少または体重損失の増加に治療上有効な量のＰＹＹアゴニストを含み、ここに該ＰＹＹアゴニストがＳＫ−Ｎ−ＭＣ細胞のＹ１受容体よりもＳＫ−Ｎ−ＢＥ２細胞のＹ２受容体に対してより高いアフィニティーを有することを特徴とする体重減少、体重増加の減少または体重損失の増加用の末梢投与医薬組成物。
【請求項６】
栄養利用能低下に治療上有効な量のＰＹＹアゴニストを含み、ここに該ＰＹＹアゴニストがＳＫ−Ｎ−ＭＣ細胞のＹ１受容体よりもＳＫ−Ｎ−ＢＥ２細胞のＹ２受容体に対してより高いアフィニティーを有することを特徴とする栄養利用能低下用の末梢投与医薬組成物。
【請求項７】
カロリー効率の低下、食物摂取の低下または食欲の低下に治療上有効な量のＰＹＹアゴニストを含み、ここに該ＰＹＹアゴニストがＳＫ−Ｎ−ＭＣ細胞のＹ１受容体よりもＳＫ−Ｎ−ＢＥ２細胞のＹ２受容体に対してより高いアフィニティーを有することを特徴とする栄養利用能低下、体重減少、体重増加の減少または体重損失の増加用の末梢投与する請求項５または６記載の医薬組成物。
【請求項８】
該ＰＹＹアゴニストがＹ１受容体よりもＹ５受容体に対してより高いアフィニティーを有する請求項５ないし７いずれか１項記載の医薬組成物。
【請求項９】
該ＰＹＹまたはＰＹＹアゴニストの量が、単一または分割用量で１μｇ〜５ｍｇ／日または５μｇ〜１００μｇ／日である請求項１ないし８いずれか１項記載の医薬組成物。
【請求項１０】
該ＰＹＹまたはＰＹＹアゴニストの量が、単一または分割用量で０.１〜１０μｇ／ｋｇ／日である請求項１ないし８いずれか１項記載の医薬組成物。
【請求項１１】
単一または分割用量で０.１〜１０μｇ／ｋｇ／日のＰＹＹまたはＰＹＹアゴニストを含む、食物摂取または食欲が低下されることを含む非経口投与する請求項１または２記載の医薬組成物。
【請求項１２】
単一または分割用量で５μｇ〜１００μｇ／日のＰＹＹまたはＰＹＹアゴニストを含む、食物摂取または食欲が低下されることを含む非経口投与する請求項１または２記載の医薬組成物。
【請求項１３】
該ＰＹＹアゴニストがＰＹＹ[３−３６]である請求項１ないし１２いずれか１項記載の医薬組成物。
【請求項１４】
該ＰＹＹアゴニストが、食物摂取または胃内容排出アッセイのうちの少なくとも１においてＮＰＹよりも大きな効力を有する請求項１ないし１３いずれか１項記載の医薬組成物。
【請求項１５】
さらに、ＧＬＰ−１、エキセンジン、アミリン、それらのアゴニストまたはそれらのいずれかの組合せを含む請求項１ないし１４いずれか１項記載の医薬組成物。
【請求項１６】
投与経路が静脈内、腹膜内、筋肉内、皮下、局所、鼻腔または肺吸入である請求項１ないし１５いずれか１項記載の医薬組成物。
【手続補正書】
【提出日】平成15年6月19日(2003.6.19)
【手続補正１】
【補正対象書類名】明細書
【補正対象項目名】特許請求の範囲
【補正方法】変更
【補正の内容】
【特許請求の範囲】
【請求項１】
薬学上好適なキャリヤー及び／又は添加剤と共に、有効成分として、胆汁酸及び胆汁酸塩、胆汁酸及び胆汁酸塩の半合成又は合成類似体、タウリン又はグリシンとの胆汁酸及び胆汁酸塩の共役体、完全動物性胆汁、動物性胆汁の乾燥状及び溶媒形の胆汁酸又は胆汁酸塩含有フラクションでなる群から選ばれる胆汁酸成分、及びベチューラ ペンデュラ、サイナラ シコルムス、ユーフラリア ロスコビーナ、ギンクゴ ビロバ、ハイペリクム パーホラタム、マトリカリア カモミラエ、メリッサ オフィシナリス、メンサ ピペリタエ、パッシフローラ インカルナータ、リブス ニグラム、ローズマリナス オフィシナリス、サルビア オフィシナリス、シリバム マリアヌム、バクシニウム ミルティルス、ビオラ トリカラーのエキスでなる群から選ばれるバイオフラボノイド成分を含有することを特徴とする医薬組成物。
【請求項２】
胆汁酸成分及びバイオフラボノイド成分を、質量比１：１０〜１０：１で含有する請求項１記載の医薬組成物。
【請求項３】
胆汁酸成分及びバイオフラボノイド成分を、質量比１：１で含有する請求項１記載の医薬組成物。
【請求項４】
腸溶性錠剤又はカプセル又は静脈又は筋肉注射剤又は点眼剤の形である請求項１記載の医薬組成物。
【請求項５】
請求項１記載の医薬組成物を製造する方法において、胆汁酸成分及びバイオフラボノイド成分を、薬学上好適なキャリヤー及び／又は添加剤と混合し、医療での使用に適する形とすることを特徴とする医薬組成物の製法。
【請求項６】
さらに、ビタミンＡ、ビタミンＤ、ビタミンＥ、ビタミンＫ、及びこれらの混合物でなる群から選ばれる脂溶性ビタミンを含有する請求項１記載の医薬組成物。
【請求項７】
さらに、リノール酸、リノレン酸、アラキドン酸、ドコサヘキサエン酸又はエイコサペンタエン酸及びこれらの混合物でなる群から選ばれる脂肪酸を含有する請求項１又は６記載の医薬組成物。
【請求項８】
請求項１〜４及び６〜７のいずれか記載の医薬組成物の、消化器系の機能を増大させ、及び障害された脂溶性食物の消化又は吸収に関連する疾患の治療又は防止に適する医薬組成物、及び眼の症候及び月経前症候を改善するため、さらに、脂溶性物質の局所的活性を改善するための医薬組成物の製造における使用。
【手続補正書】
【提出日】平成16年11月26日(2004.11.26)
【手続補正１】
【補正対象書類名】明細書
【補正対象項目名】００３１
【補正方法】変更
【補正の内容】
【００３１】
Ａ３は、好ましくは、１,４−フェニレンであり、これは、２−、３−、５−および／または６−位で上記のように、好ましくは、フッ素で置換され得る。
ｒ＝０の場合は、ヒドロキシル化合物は、好ましくは、置換され得るアルカノールである。特に好ましくは、ハロゲン化アルカノール、例えば、トリフルオロメタノール、トリフルオロエタノールおよびトリクロロエタノールである。
【手続補正２】
【補正対象書類名】明細書
【補正対象項目名】００８１
【補正方法】変更
【補正の内容】
【００８１】
ケテンジチオケタールＩＩ．２ ５.００ｍｍｏｌを、ジクロロメタン５０ｍｌに溶解し、トリフルオロメタンスルホン酸５.００ｍｍｏｌを、氷で冷却しながら加えた。１５分後、冷却を止め、および混合物を、室温下で３０分間撹拌した。次いで、混合物を、−７０℃まで冷却し、トリエチルアミン（９．００ｍｍｏｌ）およびフェノール化合物ＩＶ．２ ７.５０ｍｍｏｌを、ジクロロメタン１０ｍｌに溶解した混合物を加え、および該混合物を、−７０℃で１時間撹拌した。次いで、トリエチルアミントリスヒドロフルオリド（２５．００ｍｍｏｌ）を加え、および５分後、ジクロロメタン１５ｍｌ中に懸濁したＤＢＨ（２５．００ｍｍｏｌ）を、約２０分間かけて少しずつ加えた。バッチをさらに６０分間撹拌し、−２０℃まで温め、およびオレンジ色の溶液を、氷冷した１モルの水酸化ナトリウム溶液１００ｍｌに、撹拌しながら加えた。有機相を分離し、および水相を、ジクロロメタンで三回抽出した。混合した有機相を、ろ過し、飽和塩化ナトリウムで２回洗浄し、硫酸ナトリウムで乾燥した。溶媒を、減圧下で除去し、および残留物を、ヘプタンから−６０℃で再結晶化させた。
【手続補正３】
【補正対象書類名】明細書
【補正対象項目名】００９０
【補正方法】変更
【補正の内容】
【００９０】
５．１ケテンジチオケタールＩＩ．５の調製
ブチルリチウム０．７８０ｍｏｌ（ｎ−へキサン中で１５％溶液とした）を、２−トリメチルシリル−１,３−ジチアン０．７８０ｍｏｌを、ＴＨＦ２．５ｌに溶解した溶液に、−７０℃で滴下した。混合物を、−７０℃でさらに３０分間攪拌した後、温度をゆっくり約１０℃まで上昇させ、および該混合物を、さらに３時間攪拌した。
最初にカルボニル基を１,２−エタンジオールで保護してあるビシクロヘキサノンＩ．５ ０．７８０ｍｏｌを、ＴＨＦ５００ｍｌに溶解した溶液を、再び−７０℃で滴下した。混合物を、約２０℃で一晩中攪拌した。メチルtert-ブチルエーテル２ｌおよびＮａＨＣＯ３溶液５００ｍｌを、反応混合物に加えた。混合物に、慣用の仕上げ処理を適用した。化合物ＩＩ．５の融点：１２９℃。
【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
香料類、保存料、着色剤、植物抽出物、ＰＥＧｓ、セチルステアリルアルコール、ラノリンアルコール、低級アルコールおよびタンパク質を実質的に含まない脂肪相に分散された０．５〜１０重量％（％ｗ／ｗ）の微粉化された尿素を含んでなり、該脂肪相が実質的に炭化水素からなり、該分散された尿素粒子が約１００μｍよりも小さい粒径をもった均一な粒径分布を有する、半固体軟膏の形態の水を含まない医療スキンケア配合物。
【請求項２】
脂肪相がペトロラタム、流動パラフィンおよび／またはマイクロクリスタリンワックスを含んでなる、請求項１に記載の水を含まない医療スキンケア配合物。
【請求項３】
該配合物がエルカ酸オレイルを更に含む請求項１〜２のいずれかに記載の水を含まない医療スキンケア配合物。
【請求項４】
該配合物が乾燥剤、好ましくはトウモロコシ澱粉を更に含む請求項１〜３のいずれかに記載の水を含まない医療スキンケア配合物。
【請求項５】
該配合物が９種よりも少ない成分の合計数を有する請求項１〜４のいずれかに記載の水を含まない医療スキンケア配合物。
【請求項６】
該配合物が以下の重量％（％ｗ／ｗ）範囲として表される成分を含んでなる請求項１〜５のいずれかに記載の水を含まない医療スキンケア配合物：
ａ）ペトロラタム：  ５０〜６５％
ｂ）流動パラフィン：  １５〜２５％
ｃ）マイクロクリスタリンワックス：  ９〜１１％
ｄ）エルカ酸オレイル：  ４〜６％
ｅ）微粉化された尿素：  ０．５〜１０％
ｆ）トウモロコシ澱粉：  ０〜１％。
【請求項７】
該配合物が、１種または２種以上の医薬活性化合物、ビタミンまたはビタミン類似体および／またはサンスクリーンを更に含む、請求項１〜６のいずれかに記載のスキンケア配合物。
【請求項８】
該医薬活性化合物がコルチコイド、抗真菌剤、免疫抑制剤、サリチル酸、α−またはβ−ヒドロキシ酸、および／またはリノレン酸であり；該ビタミンがビタミンＥまたはビタミンＫであり；ビタミン類似体がカルシポトリオールまたはタカルシトールである、請求項７に記載のスキンケア配合物。
【請求項９】
乾燥した敏感な皮膚の予防および処置において、および／または魚鱗癬、湿疹の皮膚および乾癬の皮膚の治療もしくは治療支援において使用するための請求項１〜８のいずれかに記載のスキンケア配合物。
【請求項１０】
請求項１〜９のいずれかに記載の水を含まないスキンケア配合物の製造方法であって、
ａ）尿素を必要に応じて乾燥剤の存在下で微粉化する工程；
ｂ）請求項１〜６のいずれかに規定される脂肪相の成分を融解させることによって脂肪相を調製する工程；
ｃ）工程（ａ）の微粉化した尿素および工程（ｂ）の加熱した脂肪相を融解温度において減圧をかけながら均質化および攪拌し、攪拌を続けながら均質化後に該配合物を３５℃よりも低い温度まで冷却する工程；を含んでなる方法。
【請求項１１】
均質化工程（ｃ）が、ウルトラ・ターラックス型ホモジナイザー、ディソルバー・ディスクおよび可変攪拌機を備えた軟膏ミキサーにおいて行われる、請求項１０に記載の方法。
【請求項１２】
均質化工程（ｃ）が、
（ｉ）攪拌しながら、８３〜８７℃の温度において、約−０．２ないし−０．４バールの減圧の下、高速で、均質化のために適したギャップ直径で、微粉化した尿素および脂肪相を均質化する工程；
（ii）ギャップ直径をその開始直径の約半分にまで減少させ、温度、均質化／攪拌速度および温度に関する他のパラメータを変えないで均質化を継続する工程；を含む、請求項１１に記載の方法。
【請求項１３】
請求項１０〜１２のいずれかの方法により得られる、水を含まない医療スキンケア配合物。
【手続補正２】
【補正対象書類名】明細書
【補正対象項目名】００２５
【補正方法】変更
【補正の内容】
【００２５】
本発明の製造方法を使用することによって得られる配合物は、均質な固体尿素マトリックスによって安定化され、それにより疎水相の望ましくない「ブリーディング」（bleeding）効果を防止するので、優れている。
【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】  (i) 少なくとも１種の構造用ポリマー、ここで該少なくとも１種の構造用ポリマーは、少なくとも１種のアミド繰返し単位を含有するポリマー骨格を有する、少なくとも１種のポリアミドポリマーである；と
(ii) アルキルセルロース及びアルキル化グアールガムから選ばれる少なくとも１種の油溶性ポリマー；と
を含有する、少なくとも１種の液状脂肪相を含有する組成物。
【請求項２】  少なくとも１種のポリアミドポリマーが、式（Ｉ）：
2004515524.tif 000001
（式中、ｎは、少なくとも１種のポリアミドポリマーの中に存在するエステル基の数が該少なくとも１種のポリアミドポリマー中に含有される全てのエステル基と全てのアミド基との総数の１０％〜５０％の範囲にあるようなアミド単位の数を表し；
Ｒ1は、同一であるか又は異なっていて、少なくとも４個の炭素原子を有するアルキル基と、少なくとも４個の炭素原子を有するアルケニル基とからそれぞれ選ばれ；
Ｒ2は、同一であるか又は異なっていて、全てのＲ2の少なくとも５０％がＣ30〜Ｃ42の炭化水素ベース基から選ばれるという条件で、Ｃ4〜Ｃ42の炭化水素ベース基からそれぞれ選ばれ；
Ｒ3は、同一であるか又は異なっていて、Ｒ3が少なくとも２個の炭素原子を有するという条件で、炭素原子、水素原子、酸素原子及び窒素原子から選ばれる複数の原子を有する有機基からそれぞれ選ばれ；しかも、
Ｒ4は、同一であるか又は異なっていて、水素原子；Ｃ1〜Ｃ10のアルキル基；並びに、Ｒ3及びもう１つのＲ4から選ばれる少なくとも１つの基に直接結合している結合基；からそれぞれ選ばれ、しかも、前記の少なくとも１つの基がもう１つのＲ4から選ばれるとき、全てのＲ4の少なくとも５０％が水素原子から選ばれるという条件で、Ｒ3とＲ4の両方が結合している窒素原子が、部分的にＲ4−Ｎ−Ｒ3によって定義される複素環式構造の一部を形成するようになっている）
のポリマー類から選ばれる、請求項１に記載の組成物。
【請求項３】  組成物の少なくとも１種の液状脂肪相が、少なくとも１種の油を含有する、請求項１に記載の組成物。
【請求項４】  少なくとも１種の油が、少なくとも１種の極性油及び少なくとも１種の無極性油から選ばれる、請求項３に記載の組成物。
【請求項５】  少なくとも１種の極性油が、
グリセロールの脂肪酸エステルであって、該脂肪酸が、直鎖、枝分れ鎖、飽和鎖、不飽和鎖から任意的に選ばれ且つ４〜２４個の炭素原子を有する複数の鎖を有する該脂肪酸エステルを含有するトリグリセリドを高含有量で含有する炭化水素ベース植物油と；
式  Ｒ5ＣＯＯＲ6（式中、Ｒ5は１〜４０個の炭素原子を有する直鎖及び枝分れ鎖の脂肪酸残基であり、Ｒ5＋Ｒ6≧１０である）の合成油又は合成エステルと；
１０〜４０個の炭素原子を有する合成エーテルと；
Ｃ8〜Ｃ26の脂肪アルコールと；
Ｃ8〜Ｃ26の脂肪酸と；
から選ばれる、請求項４に記載の組成物。
【請求項６】  少なくとも１種の無極性油が、
揮発性及び不揮発性の、直鎖または環状のポリジメチルシロキサンであって、室温で液体であるものから選ばれるシリコーン油と；
シリコーン鎖のペンダント及び／又は端部にあるアルキル基又はアルコキシ基であって、該基は２〜２４個の炭素原子を含有するポリジメチルシロキサンと；
フェニルシリコーンと；
合成物質または鉱物由来の、直鎖及び枝分かれ鎖の、揮発性及び不揮発性の炭化水素；
から選ばれる、請求項４に記載の組成物。
【請求項７】  少なくとも１種の液状脂肪相が、少なくとも１種の不揮発性油を含有する、請求項１に記載の組成物。
【請求項８】  少なくとも１種の不揮発性油が、鉱物由来、植物由来及び合成物質由来の炭化水素ベース油；合成エステル；合成エーテル；及びシリコーン油；から選ばれる、請求項７に記載の組成物。
【請求項９】  少なくとも１種の液状脂肪相が、炭化水素ベース溶剤；及び、シリコーン鎖のペンダントであるか又は端部にあるアルキル基又はアルコキシ基を任意的に有するシリコーン溶剤；から選ばれる少なくとも１種の揮発性溶剤を含有する、請求項１に記載の組成物。
【請求項１０】  アルキルセルロースはエチルセルロースから選ばれる、請求項１に記載の組成物。
【請求項１１】  アルキル化グアールガムはＣ1〜Ｃ5のアルキルガラクトマンナンから選ばれる、請求項１に記載の組成物。
【請求項１２】  アルキル化グアールガムはエチルグアールから選ばれる、請求項１に記載の組成物。
【請求項１３】  少なくとも１種の液状脂肪相が、さらにシリコーン油を含有する、請求項１に記載の組成物。
【請求項１４】  少なくとも１種の脂肪アルコールを更に含有する、請求項１に記載の組成物。
【請求項１５】  少なくとも１種の油溶性エステルを更に含有する、請求項１に記載の組成物。
【請求項１６】  少なくとも１種の油溶性エステルが、少なくとも１つのフリーのヒドロキシ基を有する、請求項１５に記載の組成物。
【請求項１７】  少なくとも１種の油溶性エステルが、ヒマシ油ではない、請求項１５に記載の組成物。
【請求項１８】  (i) エチレンジアミン／ステアリルダイマータレートコポリマー(ethylenediamine/stearyl dimer tallate copolymer)から選ばれる少なくとも１種の構造用ポリマー；と
(ii) アルキルセルロース及びアルキル化グアールガムから選ばれる少なくとも１種の油溶性ポリマー；と
を含有する、少なくとも１種の液状脂肪相を含有する組成物。
【請求項１９】  (i) エチレンジアミン／ステアリルダイマージリノレートコポリマー(ethylenediamine/stearyl dimer dilinoleate copolymer)から選ばれる少なくとも１種の構造用ポリマー；と
(ii) アルキルセルロース及びアルキル化グアールガムから選ばれる少なくとも１種の油溶性ポリマー；と
を含有する、少なくとも１種の液状脂肪相を含有する組成物。
【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】  Ｃ４−ジカルボン酸および／またはその誘導体を、酸化銅をベースとする触媒上で、置換されていてよいγ−ブチロラクトンおよび／または置換されていてよいテトラヒドロフランへと気相水素添加する方法において、該気相水素添加法が第１の反応ゾーンとそれに引き続く第２の反応ゾーンとを含み、この場合、第１の反応ゾーンにおいて、Ｃ４−ジカルボン酸および／またはその誘導体を、置換されていてよいγ−ブチロラクトンを主生成物として含有する混合物へと反応させ、第２の反応ゾーンにおいて、第１の水素添加段階からの混合物中に存在する置換されていてよいγ−ブチロラクトンを、第１の水素添加段階における温度よりも低温で、置換されていてよいテトラヒドロフランへと反応させることを特徴とする、Ｃ４−ジカルボン酸および／またはその誘導体を、酸化銅をベースとする触媒上で、置換されていてよいγ−ブチロラクトンおよび／または置換されていてよいテトラヒドロフランへと気相水素添加する方法。
【請求項２】  触媒が、酸化銅５〜１００質量％と、Ａｌ、Ｓｉ、Ｚｎ、Ｌａ、Ｃｅ、第ＩＩＩＡ族〜第ＶＩＩＩＡ族の元素および第ＩＡ族の元素および第ＩＩＡ族の元素からなる群から選択された１種以上の金属またはその化合物、有利にその酸化物０〜９５質量％とを活性物質として含有する、請求項１記載の方法。
【請求項３】  第１のゾーン中での反応を２００℃以上、有利に２３０〜３００℃の温度で実施し、かつ第２のゾーン中での反応を２８０℃以下、有利に１５０〜２４０℃の温度で実施する、請求項１または２記載の方法。
【請求項４】  第１および第２の２つの反応ゾーン中で使用された触媒が同じ組成を有する、請求項１から３までのいずれか１項記載の方法。
【請求項５】  第１および第２の２つの反応ゾーン中で使用された触媒が異なる組成を有する、請求項１から３までのいずれか１項記載の方法。
【請求項６】  第１の反応ゾーン中で使用された触媒が、ＣｕＯ５〜１００質量％、ＺｎＯ０〜８０質量％およびＡｌ２Ｏ３０〜９５質量％、殊にＣｕＯ２０〜８０質量％、ＺｎＯ１０〜４０質量％およびＡｌ２Ｏ３５〜６０質量％を含有し、かつ第２の反応ゾーン中で使用された触媒が、ＣｕＯ５〜８０質量％、ＺｎＯ０〜８０質量％およびＡｌ２Ｏ３０〜６０質量％、殊にＣｕＯ２０〜６０質量％、ＺｎＯ０〜６０質量％およびＡｌ２Ｏ３１０〜５０質量％を含有する、請求項１から５までのいずれか１項記載の方法。
【請求項７】  第１および第２の２つの反応ゾーンが、等温式に運転されてはおらず、かつ第１の反応ゾーン中の温度が第２の反応ゾーン中の温度よりも高くなるように温度が調節されている反応器中に収容されている、請求項１から６までのいずれか１項記載の方法。
【請求項８】  第１および第２の２つの反応ゾーン中で調整された圧力が、互いに無関係に、０．５〜１００バール、殊に１〜５０バール、殊に２０バール未満である、請求項１から７までのいずれか１項記載の方法。
【請求項９】  無水マレイン酸を出発材料として使用する、請求項１から８までのいずれか１項記載の方法。
【請求項１０】  無水マレイン酸濃度が第１の反応段階において０．１〜５体積％、有利に０．２〜３体積％である、請求項９記載の方法。
【請求項１１】  第１および第２の反応を、互いに無関係に、管状反応器、管束型反応器または流動床型反応器中で実施する、請求項１から１０までのいずれか１項記載の方法。
【手続補正書】
【提出日】平成16年12月2日(2004.12.2)
【手続補正１】
【補正対象書類名】明細書
【補正対象項目名】特許請求の範囲
【補正方法】変更
【補正の内容】
【特許請求の範囲】
【請求項１】  式（Ｉ）
【化１】
2004515501.tif 000001
（式中、Ｘは、−ＣＨＲ3−、−ＣＨＲ3−アルキル−または−ＣＨＲ3−アルケニル−であり、
Ｒ1は、
−ヘテロアリール、
−ヘテロシクリル、
−Ｒ4−ヘテロアリール、および
−Ｒ4−ヘテロシクリル
からなる群より選択され、
Ｒ2は、
−水素、
−アルキル、
−アルケニル、
−アリール、
−ヘテロアリール、
−ヘテロシクリル、
−アルキル−Ｙ−アルキル、
−アルキル−Ｙ−アルケニル、
−アルキル−Ｙ−アリール、ならびに
−ＯＨ、
−ハロゲン、
−Ｎ（Ｒ3）2、
−ＣＯ−Ｎ（Ｒ3）2、
−ＣＯ−Ｃ1〜10アルキル、
−ＣＯ−Ｏ−Ｃ1〜10アルキル、
−Ｎ3、
−アリール、
−ヘテロアリール、
−ヘテロシクリル、
−ＣＯ−アリール、および
−ＣＯ−ヘテロアリール
からなる群より選択される１つ以上の置換基によって置換された−アルキルまたはアルケニルからなる群より選択され、
Ｒ4は、１つ以上の−Ｏ−基によって中断されていてもよいアルキルまたはアルケニルであり、
各Ｒ3は、独立してＨまたはＣ1〜10アルキルであり、
各Ｙは、独立して−Ｏ−または−Ｓ（Ｏ）0〜2−であり、
ｎは０〜４であり、
各Ｒは、独立してＣ1〜10アルキル、Ｃ1〜10アルコキシ、ヒドロキシ、ハロゲン、およびトリフルオロメチルからなる群より選択される）、
の化合物または薬学的に許容可能なその塩。
【請求項２】  Ｒ1が−（ＣＨ2）0〜3−ヘテロアリールである、請求項１に記載の化合物または塩。
【請求項３】  前記ヘテロアリールが２−ピリジル、３−ピリジル、４−ピリジル、２−チアゾリル、２−ピリミジニル、４−ピリミジニル、４−トリアゾリル、２−ベンゾフラニル、２−インドリル、３−カルバゾリル、２−フラニル、４−イソキノリニル、４−イソキサゾリルおよび４−ピラゾリルからなる群より選択される、請求項２に記載の化合物または塩。
【請求項４】  式（ＩＩ）
【化２】
2004515501.tif 000002
（式中、Ｘは、−ＣＨＲ3−、−ＣＨＲ3−アルキル−または−ＣＨＲ3−アルケニル−であり、
Ｒ10は、ヘテロアリールおよびヘテロシクリルからなる群より選択され、
Ｒ2は、
−水素、
−アルキル、
−アルケニル、
−アリール、
−ヘテロアリール、
−ヘテロシクリル、
−アルキル−Ｙ−アルキル、
−アルキル−Ｙ−アルケニル、
−アルキル−Ｙ−アリール、ならびに
−ＯＨ、
−ハロゲン、
−Ｎ（Ｒ3）2、
−ＣＯ−Ｎ（Ｒ3）2、
−ＣＯ−Ｃ1〜10アルキル、
−ＣＯ−Ｏ−Ｃ1〜10アルキル、
−Ｎ3、
−アリール、
−ヘテロアリール、
−ヘテロシクリル、
−ＣＯ−アリール、および
−ＣＯ−ヘテロアリール
からなる群より選択される１つ以上の置換基によって置換された−アルキルまたはアルケニルからなる群より選択され、
ｎは０〜４であり、
各Ｒ3は、独立してＨまたはＣ1〜10アルキルであり、
各Ｙは、独立して−Ｏ−または−Ｓ（Ｏ）0〜2−であり、
各Ｒは、独立してＣ1〜10アルキル、Ｃ1〜10アルコキシ、ヒドロキシ、ハロゲン、およびトリフルオロメチルからなる群より選択される）の化合物、
または薬学的に許容可能なその塩。
【請求項５】  Ｒ10が、ヘテロアリールおよび置換ヘテロアリールからなる群より選択される、請求項４に記載の化合物または塩。
【請求項６】  前記ヘテロアリールが２−ピリジル、３−ピリジル、４−ピリジル、２−チアゾリル、４−ピラゾリル、３−フラニル、２−チエニル、および２−ピリミジニルからなる群より選択される、請求項５に記載の化合物。
【請求項７】  Ｘが−ＣＨ2−ＣＨ2−である、請求項１または４に記載の化合物または塩。
【請求項８】  式（ＩＩＩ）
【化３】
2004515501.tif 000003
（式中、Ｘは、−ＣＨＲ3−、−ＣＨＲ3−アルキル−または−ＣＨＲ3−アルケニル−であり、
Ｒ1は、
−ヘテロアリール、
−ヘテロシクリル、
−Ｒ4−ヘテロアリール、および
−Ｒ4−ヘテロシクリル
からなる群より選択され、
Ｒ2は、
−水素、
−アルキル、
−アルケニル、
−アリール、
−ヘテロアリール、
−ヘテロシクリル、
−アルキル−Ｙ−アルキル、
−アルキル−Ｙ−アルケニル、
−アルキル−Ｙ−アリール、ならびに
−ＯＨ、
−ハロゲン、
−Ｎ（Ｒ3）2、
−ＣＯ−Ｎ（Ｒ3）2、
−ＣＯ−Ｃ1〜10アルキル、
−ＣＯ−Ｏ−Ｃ1〜10アルキル、
−Ｎ3、
−アリール、
−ヘテロアリール、
−ヘテロシクリル、
−ＣＯ−アリール、および
−ＣＯ−ヘテロアリール
からなる群より選択される１つ以上の置換基によって置換された−アルキルまたはアルケニルからなる群より選択され、
Ｒ4は、１つ以上の−Ｏ−基によって中断されていてもよいアルキルまたはアルケニルであり、
各Ｒ3は、独立してＨまたはＣ1〜10アルキルであり、
各Ｙは、独立して−Ｏ−または−Ｓ（Ｏ）0〜2−であり、
ｎは０〜４であり、
各Ｒは、独立してＣ1〜10アルキル、Ｃ1〜10アルコキシ、ヒドロキシ、ハロゲン、およびトリフルオロメチルからなる群より選択される）の化合物、
または薬学的に許容可能なその塩。
【請求項９】  Ｒ2がＨ、アルキル、または−アルキル−Ｏ−アルキルである、請求項１、４、または８のいずれか１項に記載の化合物または塩。
【請求項１０】  式（ＩＶ）
【化４】
2004515501.tif 000004
（式中、Ｘは、−ＣＨＲ3−、−ＣＨＲ3−アルキル−または−ＣＨＲ3−アルケニル−であり、
Ｒ10は、ヘテロアリールおよびヘテロシクリルからなる群より選択され、
Ｒ2は、
−水素、
−アルキル、
−アルケニル、
−アリール、
−ヘテロアリール、
−ヘテロシクリル、
−アルキル−Ｙ−アルキル、
−アルキル−Ｙ−アルケニル、
−アルキル−Ｙ−アリール、ならびに
−ＯＨ、
−ハロゲン、
−Ｎ（Ｒ3）2、
−ＣＯ−Ｎ（Ｒ3）2、
−ＣＯ−Ｃ1〜10アルキル、
−ＣＯ−Ｏ−Ｃ1〜10アルキル、
−Ｎ3、
−アリール、
−ヘテロアリール、
−ヘテロシクリル、
−ＣＯ−アリール、および
−ＣＯ−ヘテロアリール
からなる群より選択される１つ以上の置換基によって置換された−アルキルまたはアルケニルからなる群より選択され、
各Ｒ3は、独立してＨまたはＣ1〜10アルキルであり、
各Ｙは、独立して−Ｏ−または−Ｓ（Ｏ）0〜2−であり、
ｎは０〜４であり、
各Ｒは、独立してＣ1〜10アルキル、Ｃ1〜10アルコキシ、ヒドロキシ、ハロゲン、およびトリフルオロメチルからなる群より選択される）の化合物、
または薬学的に許容可能なその塩。
【請求項１１】  ｎが０である、請求項１、４、８、または１０のいずれか１項に記載の化合物または塩。
【請求項１２】  治療有効量の請求項１〜１１のいずれか１項に記載の化合物または塩と、薬学的に許容可能なキャリヤーとを含む医薬組成物。
【請求項１３】  治療有効量の請求項１〜１１のいずれか１項に記載の化合物または塩を動物に投与することを含む、動物におけるサイトカイン生合成の誘発方法。
【手続補正書】
【提出日】平成16年12月2日(2004.12.2)
【手続補正１】
【補正対象書類名】明細書
【補正対象項目名】請求項２
【補正方法】変更
【補正の内容】
【請求項２】  式（Ｉ）の化合物
（式中、
Ｒ1は、Ｈ、Ｃ1-2アルキル、又は置換Ｃ1-2アルキルであり、
Ｘは、ハロゲン、又は−ＮＲ2Ｒ3であり、ここで、
Ｒ2は、Ｈ、非置換Ｃ1-2アルキル、又は−ＣＯＯＨ、−ＣＯＮＨ2、−ＳＯ3Ｈ又は−ＯＨによりモノ置換され又はジ置換されたＣ1-4アルキルであり、
Ｒ3は、非置換Ｃ1-2アルキル、又は−ＣＯＯＨ、−ＣＯＮＨ2、−ＳＯ3Ｈ又は−ＯＨによりモノ置換され又はジ置換されたＣ1-4アルキルであり、又は１つ以上のカルボキシ、スルホ、Ｃ1-4アルキル及び／又はＣ1-4アルコキシで置換されたフェニルあり、又は、
Ｒ2及びＲ3は、窒素原子と共に一緒になって、６員のヘテロ環を構成し、その環はＯ、Ｎ及びＳからなる群から選択された１つより多いヘテロ原子を含むことができ、又更に、Ｃ1-2アルキル−ＯＨ基により置換することができる。）、
その塩、及びそれら化合物の混合物を、有機基材の染色又は印刷のために使用することを特徴とする、請求項１に記載の使用。
【手続補正２】
【補正対象書類名】明細書
【補正対象項目名】請求項９
【補正方法】変更
【補正の内容】
【請求項９】  請求項１〜４のいずれかに記載の式（Ｉ）、（Iａ）及び／又は（Iｂ）の化合物又はそれらの混合物を含む液体配合物の製造方法であって、式（Ｉ）、（Ｉａ）及び／又は（Ｉｂ）の化合物の水溶液又は懸濁液の膜ろ過工程を使用することを特徴とする方法。
【手続補正３】
【補正対象書類名】明細書
【補正対象項目名】００３９
【補正方法】変更
【補正の内容】
【００３９】
実施例１ｃ
７−アミノ−１−ヒドロキシ−８−（２’−スルホ，４’−アミノ−フェニルアゾ）ナフタレン−３−スルホン酸２８０．６部の水８．５リットル溶液を、実施例１ａに記載したように２，４，６−トリクロロ−１，３，５−トリアジン５９．０部で二量化し、次いで実施例１ｂに記載したと同様にジエタノールアミン５２．６ｇで処理する。９５℃の反応混合物を５０℃に冷却し、Ｈｙｆｌｏ−Ｓｕｐｅｒｃｅｌ（Ｃｅｌｉｔｅ  Ｃｏｒｐｏｒａｔｉｏｎの登録商標）（ろ過助剤）４０部を添加する。５０℃で１０分撹拌後、反応混合物をろ過する。約９５００部の加工溶液を、Ｇ５０膜を用いて３０〜４０℃の温度で限外ろ過し、３３８２部溶液まで濃縮する。得られる液体染料組成物は、ほんの痕跡程度の残留無機塩を含むのみであり，完全の貯蔵安定性を示す。
【手続補正書】
【提出日】平成16年11月25日(2004.11.25)
【手続補正１】
【補正対象書類名】明細書
【補正対象項目名】請求項１
【補正方法】変更
【補正の内容】
【請求項１】エチレン、α-オレフィン、及び非共役ジエンのモノマー単位を含む共重合体を含むポリマー組成物において、該ポリマー組成物が、エチレン、α-オレフィン、及び非共役ジエンのモノマー単位を含む共重合体Ａ及び共重合体Ｂを少なくとも含み、共重合体Ａの重量平均分子量は共重合体Ｂのそれより高く、少なくとも共重合体Ａは以下の関係：
Ｍｗ／Ｍｎ＜‐０．０６６．Δδ＋a  (１)
ここで
Ｍｗは共重合体の重量平均分子量であり、
Ｍｎはポリマーの数平均分子量であり、
ａ＝４．８、
Δδは角度で表され、０．１ｒａｄ／ｓ及び１００ｒａｄ／ｓにおいて、Ｇ´´／Ｇ´の商から決定される損失角の差であり、ここでＧ´は貯蔵弾性率であり、Ｇ´´は損失弾性率であり、動的粘弾性スペクトロメトリーを用いて測定される、
を満足することを特徴とするポリマー組成物。
【手続補正２】
【補正対象書類名】明細書
【補正対象項目名】請求項３
【補正方法】変更
【補正の内容】
【請求項３】a＝４．３であることを特徴とする、請求項１〜２のいずれか１項に記載のポリマー組成物。
【手続補正３】
【補正対象書類名】明細書
【補正対象項目名】請求項９
【補正方法】変更
【補正の内容】
【請求項９】共重合体Ａが２００，０００〜５００，０００の重量平均分子量を有し、共重合体Ｂが１００，０００〜２００，０００の重量平均分子量を有することを特徴とする、請求項１〜８のいずれか１項に記載のポリマー組成物。
【手続補正４】
【補正対象書類名】明細書
【補正対象項目名】請求項１４
【補正方法】変更
【補正の内容】
【請求項１４】請求項１〜１３のいずれか１項に記載のポリマー組成物から全体に又は部分的に製造された成形品。
【手続補正５】
【補正対象書類名】明細書
【補正対象項目名】請求項１５
【補正方法】変更
【補正の内容】
【請求項１５】共重合体Ａ及び／又は共重合体Ｂが硬化されていることを特徴とする、請求項１４に記載の成形品。
【手続補正書】
【提出日】平成16年8月26日(2004.8.26)
【手続補正１】
【補正対象書類名】明細書
【補正対象項目名】特許請求の範囲
【補正方法】変更
【補正の内容】
【特許請求の範囲】
【請求項１】  一般式（Ｉ）
【化１】
2004515578.tif 000001
［式中、
Ｃｅｌｌは、セルロース鎖上のヒドロキシル基の置換された基であり、
Ａは、水素またはヒドロキシカルボン酸基であり、
Ｂは、エーテル基（−Ｅ−Ｏ）ｎであり（ここで、ｎは、１〜４であり、ヒドロキシカルボン酸によるモル置換度は、０〜１であり、かつエーテルのモル置換度は、３以上である）、
Ｅは、Ｃ１〜Ｃ６−アルキルである］
の熱可塑性、水溶性化合物。
【請求項２】  ヒドロキシプロピルセルロースをヒドロキシカルボン酸のエステルと反応させる、請求項１に記載のセルロース誘導体の製法。
【請求項３】  ヒドロキシプロピルセルロースをジラクチドまたは１，４−ジオキサン−２，５−ジオンと反応させる、請求項１に記載のセルロース誘導体の製法。
【請求項４】  製剤学的調製物を製造するための、請求項１に記載のセルロース誘導体の使用。
【請求項５】  請求項１に記載のセルロース誘導体を含む、製剤学的調製物。
【手続補正書】
【提出日】平成16年12月1日(2004.12.1)
【手続補正１】
【補正対象書類名】明細書
【補正対象項目名】請求項９
【補正方法】変更
【補正の内容】
【請求項９】  架橋して重合するモノマーがジビニルベンゼン、メチルシクロペンタジエン、ノルボルナ−２，５−ジエン、インデン、α−テルピネン、β−テルピネン及びγ−テルピネン、ジペンテン及びジシクロペンタジエンの群からの少なくとも１つの材料である、請求項８記載のプレポリマー。
【手続補正書】
【提出日】平成16年8月16日(2004.8.16)
【手続補正１】
【補正対象書類名】明細書
【補正対象項目名】特許請求の範囲
【補正方法】変更
【補正の内容】
【特許請求の範囲】
【請求項１】  架橋されていないブチルゴム（Ａ）及び架橋されたニトリル含有のゴム粒子（Ｂ）からなるゴム混合物であって、その際、ゴム成分（Ａ）の１００質量部（phr）に対して混合物中の成分（Ｂ）の割合が１〜１５０質量部であるゴム混合物。
【請求項２】  全ての種類のゴム加硫物及びゴム成形体の製造のための、特にタイヤトレッド、インナーライナー、防護服、医薬品の密栓、タンクのライニング、緩衝材、シーリング、ホース、搬送ベルト及びダイヤフラムの製造のための、請求項１記載の使用。